(57)【特許請求の範囲】
【請求項１】
ＲＦＩＤ記憶媒体と電磁誘導型ＲＦＩＤリーダーライタ装置との間で非接触に情報の送受信を行う非接触通信システムに用いられる磁界延長型アンテナであって、無給電の誘導コイルと、誘導コイルの両端に接続された共振調整用コンデンサーと誘導コイルの両端に接続した連続した１つの導電性ラインにより形成されるとともに、誘導コイルから離れた所定部位に配置した２個以上のループコイルとを備え、前記リーダーライタ装置をリーダーライタ装置のアンテナが前記誘導コイルに重なるように非接触で配置することにより、1台のリーダーライタ装置を使用して、前記ループコイルを配置した複数の部位で前記ＲＦＩＤ記憶媒体との非接触通信が可能になることを特徴とする磁界延長型アンテナ。
【請求項２】
請求項1に記載の磁界延長型アンテナにおける誘導コイルを手の甲または手首部分に、複数のループコイルを手の平あるいは指先など手袋の所定部位に組み込む事で、誘導コイル上に非接触で配置した電磁誘導型ＲＦＩＤリーダーライタ装置により、前記ループコイルを配置した手袋の複数部位でのＲＦＩＤ記憶媒体との非接触通信が可能になることを特徴とするＲＦＩＤ認識用手袋。
【請求項３】
2個以上の複数のループコイルを親指とそれ以外の指に配置し、かつ、親指とそれ以外の指に配置したループコイルの巻き方向を反転することにより、親指とそれ以外の指で前記ＲＦＩＤ記憶媒体を保持した時にＲＦＩＤ記憶媒体を認識できることを特徴とする請求項２記載のＲＦＩＤ認識用手袋。
【請求項４】
ループコイルの数や、誘導コイルおよびループコイルの巻き数、周長、導電性ラインの全長を適切に設定することで共振周波数を調整することにより、連続した１つの導電性ラインのみでＲＦＩＤ記憶媒体と電磁誘導型ＲＦＩＤリーダーライタ装置との間で非接触に情報の送受信ができることを特徴とする請求項２，３記載のＲＦＩＤ認識用手袋。
【請求項５】
請求項２から４のいずれかに記載のＲＦＩＤ認識用手袋からＲＦＩＤ記憶媒体に関する情報を取得する取得手段と、取得したＲＦＩＤ記憶媒体に関する情報を保存する保存手段と、保存されたＲＦＩＤ記憶媒体に関する情報を用いた作業パターンを決定する決定手段とを備える作業工程管理システム。
【発明の詳細な説明】
【技術分野】
【０００１】
本発明は、無線用アンテナとして使用することができる磁界延長型アンテナおよび磁界延長型アンテナ搭載ＲＦＩＤ認識用手袋に関する。
【背景技術】
【０００２】
非接触で情報の送受信が可能なＲＦＩＤ記憶媒体は、商品等の在庫管理などの流通分野だけでなくセキュリティや製造工程の業務管理など様々な分野で使用されている。このＲＦＩＤチップと無線でデータ通信を行うリーダーライタの一つとして、ハンディタイプのリーダーライタは持ち運びが容易なため広範囲の領域での作業を可能とする一方で、使用する者の片手もしくは両手を塞ぐことになるため作業効率の点で課題があった。この対策として、最近ではリーダーライタのアンテナを作業用手袋と一体にすることでハンズフリータイプのリーダーライタが提案されている。これにより作業者はハンディタイプのリーダーライタを片手に持つことなく、手袋をはめることで他の作業をしながら無線信号の送受信を行うことができる。
【先行技術文献】
【特許文献】
【０００３】
【特許文献１】特開２００２−３４７９３７
【特許文献２】特開２００７−２３３７３７
【特許文献３】特開２００７−２３３７３８
【特許文献４】特許  ３７７３９４３
【発明の概要】
【発明が解決しようとする課題】
【０００４】
しかしながら、上記特許文献１に開示の発明ではアンテナとリーダーライタがそれぞれ手袋と体の別の部分（腰など）に分かれているため、使用中および着脱時にケーブル配線が支障をきたす場合があり利便性に欠ける。
【０００５】
それに対し上記特許文献２ではアンテナとリーダーライタが一体となり手の甲に設置されているので利便性は非常に向上しているが、人体の一部である手を通しての認識となるため認識性能の低下が課題となり実用性に欠ける。また、アンテナとリーダーライタが有線に接続されているため、漏電、ショートした場合にアンテナ線に電流が流れ続けてリーダー側が過負荷となり、焼損や発火などに至る危険性がある。
【０００６】
これに対し特許文献３では、アンテナを手のひら側に移行することで作業を妨げずに認識性能を向上させている。また特許文献４では、５本の指や手の平部にアンテナを設置し、確実に認識できるシステム構成にしている。しかし、アンテナとリーダーライタが一体となり手袋に設置されているため、作業中の手袋破損等やアンテナの断線時には修理や交換費用が高くなるため実用性に欠ける。さらに、複数の電磁誘導型ＲＦＩＤリーダーライタ装置を近接距離で同時に使用しているため、相互干渉によりＲＦＩＤ記憶媒体との通信に支障が発生するため、全てのリーダーを同期させるなど構成回路が複雑になり実用性に欠ける。
【課題を解決するための手段】
【０００７】
ＲＦＩＤ記憶媒体と電磁誘導型ＲＦＩＤリーダーライタ装置との間で非接触に情報の送受信を行う非接触通信システムにおいて、無給電の誘導コイルの両端に共振調整用コンデンサーを接続するとともに、誘導コイルの両端に接続した連続した１つの導電性ライン上に2個以上のループコイルを形成し、そのループコイルを誘導コイルから離れた所定部位に配置し、かつ前記リーダーライタ装置をリーダーライタ装置のアンテナが前記誘導コイルに重なるように非接触で配置することにより、1台のリーダーライタ装置を使用して、前記ループコイルを配置した複数の部位でＲＦＩＤ記憶媒体との非接触通信が可能になることを特徴とする。
【０００８】
磁界延長型アンテナの誘導コイルを手袋の甲または手首部分に配置し、複数のループコイルを手袋の手の平あるいは指先など所定部位に配置し、電磁誘導型ＲＦＩＤリーダーライタ装置をリーダーライタ装置のアンテナが前記誘導コイルに重なるように非接触で配置することにより、1台のリーダーライタ装置を使用して、前記ループコイルを配置した複数の部位でＲＦＩＤ記憶媒体との非接触通信が可能になることを特徴とする。
【０００９】
2個以上のループコイルを親指とそれ以外の指に配置し、かつ、親指とそれ以外の指に配置したループコイルの巻き方向を反転することにより、親指とそれ以外の指でＲＦＩＤ記憶媒体を保持した時にＲＦＩＤを認識できることを特徴とする。
【００１０】
ループコイルの数や、誘導コイルおよびループコイルの巻き数、周長、導電性ラインの全長を適切に設定することで共振周波数を調整することにより、連続した１つの導電性ラインのみでＲＦＩＤ記憶媒体と電磁誘導型ＲＦＩＤリーダーライタ装置との間で非接触に情報の送受信を行うことを特徴とする。
【００１１】
ＲＦＩＤ認識用手袋を使用して作業を中断することなくＲＦＩＤ記憶媒体の情報を取得し、このＲＦＩＤ記憶媒体に関する情報を無線で送信もしくはメモリーに保存後その情報を転送し、作業工程の管理をすることを特徴とする。
【発明の効果】
【００１２】
本発明は、上記のような構成を有する磁界延長型アンテナを使用することで、ＲＦＩＤ記憶媒体と電磁誘導型ＲＦＩＤリーダーライタ装置との間で非接触により情報の送受信を行う非接触通信システムにおいて、相互干渉によりＲＦＩＤ記憶媒体との通信に支障が発生することなく、１つの電磁誘導型ＲＦＩＤリーダーライタで広範囲の領域にて認識することができる。
【００１３】
また、磁界延長型アンテナの誘導コイルを手袋の甲または手首部分に配置し、複数のループコイルを手袋の手の平あるいは指先など所定部位に配置し、電磁誘導型ＲＦＩＤリーダーライタ装置をリーダーライタ装置のアンテナが前記誘導コイルに重なるように非接触で配置することにより、1台のリーダーライタ装置を使用して手の複数の場所でＲＦＩＤ記憶媒体を認識できるＲＦＩＤ認識用手袋として使用することができる。
【００１４】
磁界延長型アンテナを構成する誘導コイルおよびループコイルは無給電で電磁誘導型ＲＦＩＤリーダーライタから出力される搬送波の高周波磁界を非接触状態で受けることにより機能するため、磁界延長型アンテナと電磁誘導型ＲＦＩＤリーダーライタを接続するための端子やケーブル、コネクタを必要としない。このため、磁界延長型アンテナおよび電磁誘導型ＲＦＩＤリーダーライタを個々に絶縁、防水加工する事が可能である。特に磁界延長型アンテナについては、接合部分をゴムや樹脂などの皮膜により完全密閉する事も可能であるため、絶縁、防水を行うことが容易である。電磁誘導型ＲＦＩＤリーダーライタについても、バッテリーや無線通信装置を内蔵させ、外部接続用の端子を必要としない構造とすることで、筐体の防水構造を容易に高めることが可能であることから、屋外など水に濡れる可能性の高い場所でも使用可能なＲＦＩＤ認識用手袋となる。
【００１５】
一般的に、電磁誘導型ＲＦＩＤリーダーライタ装置では、アンテナ回路に数十ボルトから数百ボルトの高電圧が発生しており、アンテナ回路の一部が漏電やショートを起こした場合でも、アンテナ回路に電力が供給され続ける。このため、作業中に回路の一部が漏電やショートを起こした場合に、人体にショックや火傷等を与える危険性があるとともに、アンテナ回路に過大な電流が流れ続け、リーダーライタ装置が過負荷により、発熱、焼損、発火を引き起こす危険性も高い。
本発明の磁界延長型アンテナは、電磁誘導型ＲＦＩＤリーダーライタ装置のアンテナが発生した高周波磁界を、誘導コイルが非接触で受けて、共振回路により電磁誘導型ＲＦＩＤリーダーライタ装置が出力する高周波磁界に同調させることで高い誘導起電圧を発生させている。このため、磁界延長型アンテナの導電性ラインの一部が人体に接触、あるいは、ショートした場合は、瞬間的に磁界延長型アンテナの静電容量が変化し、共振コイルの共振周波数が変動し、導電性ラインに発生する誘導起電圧が大きく低下する。これにより、導電性ラインが漏電、ショートを起こした際も人体に対してショックや火傷等の損傷を与える危険性がない。また、非接触で駆動しているＲＦＩＤリーダーライタに過負荷が生じる危険性も避けられるため、磁界延長型アンテナを作業用手袋に組み込む事により、屋外など水に濡れる可能性の高い作業環境下でも、安全に作業を行う事が可能なＲＦＩＤ認識用手袋となる。
【００１６】
磁界延長型アンテナを手袋に組み込む場合、作業により手袋自体の破損、汚損だけでなく、摩耗、屈曲疲労、物理衝撃などにより、磁界延長型アンテナの導電性ラインの断線や絶縁、防水性が損なわれる事が想定されるが、磁界延長型アンテナと電磁誘導型ＲＦＩＤリーダーライタが非接触であることから、磁界延長型アンテナと電磁誘導型ＲＦＩＤリーダーライタを簡単に着脱可能な構造とすることで、磁界延長型アンテナ付きの手袋のみ交換する事が容易に可能となる。また、磁界延長型アンテナ付きの手袋自体も複雑な回路を必要としないため低コストで製造することが可能であり、メンテナンス性に優れている。
【００１７】
連続した１つの導電性ラインにより形成した複数のループコイルを手袋の第一関節部分より先端の指の腹部分や手のひらに設置するため、通常の作業時には屈曲が少なく耐久性に優れている。また複数のループコイルでＲＦＩＤ記憶媒体を認識するため、電磁誘導型ＲＦＩＤリーダーアンテナ単体の場合と比較して広範囲の領域の認識を可能とし、ＲＦＩＤ記憶媒体を認識させるための動作を必要としなくても作業中手が移動する位置にＲＦＩＤ記憶媒体を設置することで無意識に認識ができるため作業効率の低下を防ぐことができる。
【００１８】
親指とそれ以外の指に配置する導電性ラインで構成するループコイルの巻き方向を反転することにより、親指とその他の指の腹の部分をあわせた時各指に配置したループコイルから発生する磁束が相互に強調する方向に働くため、指先でＲＦＩＤ記憶媒体を保持した時もＲＦＩＤ記憶媒体を認識できるＲＦＩＤ認識用手袋として使用することができる。逆に、親指とそれ以外の指に配置する導電性ラインで構成するループコイルの巻き方向を同じ方向にした場合は、親指とその他の指の腹の部分をあわせた時各指に配置したループコイルから発生する磁束が打ち消しあうため、指先でＲＦＩＤ記憶媒体を保持した時にＲＦＩＤ記憶媒体を認識しないＲＦＩＤ認識用手袋として使用することができる。
【００１９】
磁界延長型アンテナを構成する導電性ラインは、電気抵抗が０．０１〜１Ω／ｍ、外径が０．０１〜１ｍｍで表面が絶縁されたものを使用し、導電性ラインで構成するループコイルの巻き数は２回以上とし、また各コイル部を形成する導電線のコイル1周は周長１０ｍｍ以上３００ｍｍ以下であることにより、電磁誘導型ＲＦＩＤリーダーアンテナからループコイルを経由して電磁波を効率よく伝搬できることにより、複数の指および手のひらで同時に認識できるＲＦＩＤ認識用手袋として使用することができる。
【００２０】
導電性ラインの外径が０．０１〜１ｍｍの範囲であることにより屈曲しやすく手袋をはめた作業を行う場合の違和感がほとんど無く、また手の屈曲と同等の曲げ状態では優れた耐久性が得られる。
【００２１】
ＲＦＩＤ認識用手袋を使用すれば、作業を中断することなくＲＦＩＤ記憶媒体の情報を取得できる。さらに、このＲＦＩＤ情報をＢｌｕｅｔｏｏｔｈや無線ＬＡＮや携帯電話などの無線により送信する、もしくはデータを様々な媒体に保存しておき、作業終了後にその情報を転送することで様々な作業工程を管理することができる。
【図面の簡単な説明】
【００２２】
【図１】本発明に係る実施形態に関する概略平面図（正面図、裏面図）
【図２】本発明の手袋、導電性ラインからなるループコイル（手の甲）、ＲＦＩＤリーダーライタの配置を示す概念図
【図３】実施形態に使用したループコイルの拡大図
【図４】親指とその他の指でＲＦＩＤ記憶媒体を掴んだ時に認識できるループコイルの拡大図
【図５】ＲＦＩＤ認識手袋による容器把持動作の認識試験結果
【図６】手袋で作業状態を管理できるシステムの概略図
【図７】本発明の手袋を使用して営農情報を管理するシステム要素の構成図
【図８】薬剤アイテム表示部のＰＤＡ画面表示内容を示す図
【図９】営農情報ＤＢの作業履歴表示部の画面表示内容を示す図
【図１０】営農情報ＤＢの農作物栽培管理実績帳票印刷部の印刷内容を示す図
【発明を実施するための形態】
【００２３】
以下、本発明に係る実施形態について詳しく説明する。なお、以下に説明する実施形態は、本発明を実施するにあたっての好ましい具体例であるから、技術的に種々の限定がなされているが、本発明は以下の説明において特に本発明を限定する旨明記されていない限り、これらの形態に限定されるものではない。
【００２４】
図１は、連続した１つの導電性ラインで形成した複数のループコイルを手袋の所定の指の先端部分と手のひらおよび手の甲部分に配置し、手の甲部分に配置したループコイルに非導通状態で電磁誘導型ＲＦＩＤリーダーライタを設置して、1つのリーダーで手の複数の場所でＲＦＩＤ記憶媒体を認識できるＲＦＩＤ認識用手袋の概略平面図である。
【００２５】
複数のループコイルは、非導通状態で電磁誘導型ＲＦＩＤリーダーライタより電磁波を受信する誘導コイルとＲＦＩＤ記憶媒体と通信する１個もしくは複数のループコイルより構成される。誘導コイルは手の甲部分に設置しているが各種作業時の妨げにならない場所であれば手の甲以外の場所でもよい。
ループコイルは、手のひらおよび指の第一関節より先端の腹の位置に設置するのが好ましく、少なくとも親指、中指もしくは人差し指の２カ所以上に設置することが適している。
【００２６】
導電性ラインを手袋に搭載する方法として、縫製による固定法、接着剤による固定法、粘着剤による固定法がある。そして、これらの固定方法を組み合わせたものであってもよく、さらには一般的な手袋をはめた各種の作業において作業を妨げずに導電性ラインが手袋から剥離や脱落しない固定方法であればこれら以外の方法でもよい。
【００２７】
図３は、図１の実施形態に使用した連続した１つの導電性ラインで形成した誘導コイルとループコイルおよび電磁誘導型ＲＦＩＤリーダーライタと通信周波数をあわせるためのＬＣ共振回路の図である。誘導コイルとループコイルを構成する導電性ラインの電気抵抗や長さに対応してＬＣ共振回路の構成を変更して共振周波数を１３．５６MHｚに設定する。導電性ラインの電気抵抗や長さが共振周波数１３．５６MHｚに対応している場合は、連続した１つの導電性ラインで形成した誘導コイルとループコイルだけで構成することも可能である。
【００２８】
導電性ラインには、導体外径０．２４ｍｍで電気抵抗０．５９７Ω／ｍの錫メッキ軟銅撚線（日立電線製UL10625）を使用しているが、導電性ラインの導電素材の外径は使用時の屈曲耐久性や取り扱いやすさより０．０１〜１ｍｍの範囲であればよく、好ましくは０．０５〜０．５ｍｍの範囲がよい。０．０１ｍｍより小さい外径の場合は強度が低いため破損する場合があり、また耐久性も低いため適さない。また外径が１ｍｍより大きい場合は屈曲時の屈曲抵抗が高いため、手袋に設置して作業する場合に硬くて取り扱い性が劣る。
【００２９】
導電性ラインは単線、もしくは単線を複数本束ねた線のいずれでも良いが、使用時の屈曲耐久性より３本以上の複数本の導電線を撚り等の方法で束ねた材料、もしくは合成繊維の芯材に導電線を螺旋状に複数本巻き付けた材料が好ましい。複数本の導電素材を束ねる、もしくは撚り合わせて導電性ラインを構成する場合は、導電素材の外径が０．０１ｍｍより小さい場合であっても導電性ラインの外径が０．０１〜１ｍｍの範囲であればよく、逆に導電素材の外径が１ｍｍ以下であっても導電性ラインの外径が１ｍｍより大きくなると好ましくない。
【００３０】
導電性ラインの導電素材としては、銅、銀、アルミニウムなどの単一金属、もしくは銅合金やステンレスなどの複数の金属を複合した合金、さらには錫メッキ等により金属に被覆したもの、非導電素材に電気伝導素材をメッキや含浸して導電性を発現した複合素材などがあるが、電気抵抗が０．０１〜１０Ω／ｍの範囲の導電素材であればよく、好ましくは０．０１〜１Ω／ｍの範囲がよい。
【００３１】
図３の４回巻きのループコイルを５箇所（ａ；周長724ｍｍ，ｂ；周長254.5mm，ｃ；周長90mm，ｄ；周長80mm，）作成し、各ループコイルは図１の手の甲（ループコイルａ）、親指（ループコイルｃ）、人差し指と薬指（ループコイルｄ）、手のひら（ループコイルｂ）に配置できるように合成皮革の手袋に設置した。またＲＦＩＤリーダーはアートテクノロジー製ＡＳＩ４４００を使用し、手の甲部分のコイルと重複する状態で電気的に絶縁された状態で配置した。
【００３２】
手のひらや指先など各ループコイルを設置する場所により許容領域が異なるため、ループコイルはコイルの大きさは異なっていても良い。ループコイルの数は、各ループコイルの認識距離や認識領域が大きく低下しない１０個以下が好ましい。またループコイルのコイル巻き数は電磁波が発生できる数であればよいが、発生する磁束の強さとループコイル配置部の屈曲性より２〜１０回の範囲が好ましい。
【００３３】
誘導コイルの巻き数は、その他のコイルと同等以上とする。またに誘導コイルは電磁誘導型ＲＦＩＤリーダーアンテナの通信周波数にあわせるためのＬＣ共振回路を設置している。図３では電磁誘導型ＲＦＩＤリーダーアンテナ（アートテクノロジー製ＡＳＩ４４００）の周波数１３．５６ＭＨｚに合うようにコンデンサーを設置してＬＣ共振回路を構成している。
【００３４】
図１の手袋を手にはめ、ＨＦ帯の外径１０ｍｍのコイン型ＩＣタグ（日立化成工業製ＴＧ−Ｐ４７６１２−Ｎ）およびカード型（８５．６ｍｍ×５４．０ｍｍ）ＩＣタグ（日立化成工業製ＩＣ−Ｐ４７６３１）を手のひら、親指、人差し指に接近させたところ、いずれの位置でも１０ｍｍ以下の距離でＩＣタグを認識できており、本発明の手袋はＲＦＩＤ認識用手袋としての性能があることを確認できた。
【００３５】
図３のループコイルによる実施例１の手袋を手に装着し、コイン型ＩＣタグを親指と人差し指で保持したところ、ＩＣタグを認識できなかった。これに対し図４のループコイルによる実施例２の手袋を手に装着し同様に親指と人差し指でコイン型ＩＣタグを保持したところ、１００％認識できた。
親指とそれ以外の指に配置する導電性ラインで構成するループコイルの巻き方向を制御することにより、ＩＣタグを指で保持した状態を認識できるＲＦＩＤ認識用手袋として使用することができる。
【００３６】
コインタグ（Φ＝１０ｍｍ）を樹脂容器に設置し、図１の手袋を手に装着して容器を掴む試験を行った。図５に複数の男性（７名）による試験結果を示すが、いずれの場合も容器を掴んだ時にコインタグを認識しており、この手袋を着用することにより容器を掴む動作を測定できることが分かる。
【００３７】
手袋で作業状態を管理できるシステム構成の概略図が図6であり、データの流れを示すフローチャートが図7である。
ＲＦＩＤ認識用手袋で得られた信号は電磁結合によりＲＦＩＤリーダーライタに送られ、図６に示すＲＦＩＤ通信制御ユニットの通信部からＢｌｕｅｔｏｏｔｈにより、装着したＰＤＡを経由し、無線ＬＡＮによりデータベースソフトに送られ、そこで作業状態を判定、登録する。
手袋からＰＤＡへの通信手段はＢｌｕｅｔｏｏｔｈ以外に無線LANでもよい。また、手袋からデータベースソフトに情報を伝達する手段はＰＤＡ以外にも、ポータブルパソコン、携帯電話等の無線手段、ＲＦＩＤ通信制御ユニットの通信部から直接データベースソフトへの送信、さらにはＲＦＩＤ通信制御ユニットにてメモリー等の記憶媒体に一度データを保存した後に転送する方法でもよく、手袋で得られた情報が確実に伝達される方法であればよい。
【００３８】
実際の作業事例として、農薬ビン（Ａ，Ｂの２種類）、プラスチック容器、はかり、じょうろ、水道蛇口、ビニールハウスの出入り口にコイン型およびカード型ＩＣタグを設置し、ＲＦＩＤ認識手袋を装着してビニールハウス内で農薬散布を行った。その結果、農薬ビン（Ａ）からプラスチック容器に農薬を移す場合は、「農薬ビン（Ａ）」、「はかり」、「プラスチック容器」の使用ログが記録され、希釈してビニールハウス内で農薬散布するときは、「プラスチック容器」、「水道蛇口」、「じょうろ」、「ビニールハウスの出入り口」の使用ログが記録されるなど、ＲＦＩＤ認識手袋を装着して農作業を行うことにより、自動的に作業状況を記録していけることが分かった。
また、ＲＦＩＤ認識手袋は作業性がよいため、通常の手袋を使用する場合と比較して作業性に問題ないことが分かった。
【００３９】
システム運用事例として農薬Ａをビニールハウス内に散布し、その際の情報出力例を図８、図9、図１０に示す。農作業をしながらＲＦＩＤ認識用手袋で収集されるタグ履歴は、ＰＤＡを経由して営農ＤＢに送られる。散布現場で農薬Ａについての詳細情報を確認したい場合、また、作業履歴を確認したい場合、ＰＤＡを使用して営農ＤＢより必要な情報を取得し、照会画面で確認することができる（図８）。営農ＤＢにためこまれた一日分の作業ログは作業パターン記録部のログパターンと照らし合わせて作業パターンが決定され、作業実績として営農ＤＢに記憶される。記憶された実績について農薬Ａの散布目的、使用量、単位を編集することも可能である。作業実績は作業履歴照会画面で確認でき（図９）、農作物栽培の記録を栽培管理実績帳票として印刷できる（図１０）ので、ＪＡなどの農業管理団体へ栽培物を出荷する際の提出物とすることもできる。
【００４０】
農薬散布や肥料散布以外にも収穫や選果作業などの農業関係だけでなく、冷凍庫や化学薬品処理などの工程管理に適したシステムであり、漁業や各種工場、流通やサービス業など様々な各種作業の工程管理や効率化のための情報収集が可能なシステムであることが分かる。
【符号の説明】
【００４１】
１  手袋
２  導電性ライン
３  ＲＦＩＤリーダーライタ
１１  誘導コイル（手の甲）
１２  ループコイル（手のひら）
１３  ループコイル（親指部）
１４  ループコイル（人差し指）
１５  ループコイル（薬指）
１６  共振調整用コンデンサー
２１  ＲＦＩＤ記憶媒体
２２  ＰＤＡ
２３  無線ＬＡＮ通信アクセスポイント
２４  営農情報管理ＤＢサーバ
２５  農薬瓶
２６  農薬散布器
３１  試薬容器（Φ＝４０ｍｍ）
４１  ＲＦＩＤ通信制御ユニット
４２  ＲＦＩＤ通信制御ユニットの通信部
４３  ＰＤＡの営農情報記憶部
４４  ＰＤＡの薬剤アイテム表示部
４５  営農ＤＢサーバのＤＢ
４６  営農ＤＢサーバの農作業パターン決定部
４７  営農ＤＢサーバの農作業パターン記録部
４８  営農ＤＢサーバの作業履歴の画面表示部
４９  営農ＤＢサーバの農作物栽培管理実績の帳票印刷部
【図１】
0005879649.tif 000002
【図２】
0005879649.tif 000003
【図３】
0005879649.tif 000004
【図４】
0005879649.tif 000005
【図５】
0005879649.tif 000006
【図６】
0005879649.tif 000007
【図７】
0005879649.tif 000008
【図８】
0005879649.tif 000009
【図９】
0005879649.tif 000010
【図１０】
0005879649.tif 000011